(57)【要約】【課題】棒状部材がある場合でも、サイドキーを設けることができるようにする。【解決手段】伸縮式アンテナ１０を収容する棒状部材収容部１１を正面側キャビネット３に設け、この棒状部材収容部１１よりも内側に押圧式スイッチ１２を収容する。棒状部材収容部１１の壁部に押圧式スイッチ１２に対応してスイッチ用貫通孔１３を形成する。防水パッキン１４に一体に、押圧式スイッチ１２を押圧する押し子１５を設ける。押し子１５の押込量よりも大きな隙間Ｃを有するように伸縮式アンテナ１０を被挿通部２０に挿通し、被挿通部２０を介してキートップ２１によって押し子１５を押圧する。【選択図】図１
2014192540.tif 000002
【特許請求の範囲】
【請求項１】
棒状部材を有する携帯端末において、
上記棒状部材を収容する棒状部材収容部を有するキャビネットと、
上記キャビネット内の上記棒状部材収容部よりも内側に収容されたスイッチと、
上記棒状部材収容部の壁部に上記スイッチに対応して形成されたスイッチ用貫通孔と、
上記スイッチ用貫通孔に挿通され、上記スイッチをオン又はオフにする押し子と、
上記棒状部材との間に上記押し子の移動量よりも大きな隙間を有するように該棒状部材が挿通される貫通孔を有する被挿通部と、
上記被挿通部を介して上記押し子を操作するキートップとを備えている
ことを特徴とする携帯端末。
【請求項２】
請求項１に記載の携帯端末において、
上記スイッチは押圧式スイッチであり、
上記キートップの押圧方向と、上記押し子の押圧方向とが一致し、
上記キートップを押し下げると、上記被挿通部が押圧されて上記押し子が上記押圧式スイッチを押し下げるように構成されている
ことを特徴とする携帯端末。
【請求項３】
請求項２に記載の携帯端末において、
上記押し子と上記被挿通部とは、別体であり、
上記被挿通部は、上記押し子が挿入される押し子収容部を備えている
ことを特徴とする携帯端末。
【請求項４】
請求項２又は３に記載の携帯端末において、
上記押圧式スイッチは、一対配置され、
上記押し子収容部は、上記一対の押圧式スイッチに対応して一対設けられている
ことを特徴とする携帯端末。
【請求項５】
請求項１に記載の携帯端末において、
上記スイッチは押圧式スイッチであり、
上記キートップのスライド方向と、上記押し子の押圧方向とが直交しているスライドキーを備え、
上記キートップのスライド移動に伴って上記被挿通部が上記棒状部材に沿って移動し、該被挿通部の突部が押し子を押し下げるように構成されている
ことを特徴とする携帯端末。
【請求項６】
請求項１に記載の携帯端末において、
上記スイッチはレバーを有する回転式スイッチであり、
上記キートップのスライド移動に伴って上記被挿通部が上記棒状部材に沿って移動し、該被挿通部と共に移動する上記押し子が上記回転式スイッチのレバーを揺動させるように構成されている
ことを特徴とする携帯端末。
【請求項７】
請求項１から６のいずれか１つに記載の携帯端末において、
上記被挿通部と上記押し子と上記キートップとが一体である
ことを特徴とする携帯端末。
【請求項８】
請求項１から６のいずれか１つに記載の携帯端末において、
上記押し子と上記被挿通部と上記キートップとは、それぞれ別体である
ことを特徴とする携帯端末。
【請求項９】
請求項１から８のいずれか１つに記載の携帯端末において、
上記棒状部材は、伸縮式アンテナである
ことを特徴とする携帯端末。
【発明の詳細な説明】
【技術分野】
【０００１】
本発明は、アンテナなどの棒状部材を収容する棒状部材収容部を有するキャビネットを備えた携帯端末に関するものである。
【背景技術】
【０００２】
従来より、キャビネットに設けた収容凹部にアンテナを収容する携帯端末は知られている（例えば、特許文献１参照）。
【先行技術文献】
【特許文献】
【０００３】
【特許文献１】特開２００９−１４１４３３号公報
【発明の概要】
【発明が解決しようとする課題】
【０００４】
図１４に示すように、特にストレートタイプの携帯端末３０１では、表示部３０２の背面側にメイン基板３０７やバッテリ３０９が配置され、サイドキー３０６を設けるスペースが限られている。そして、サイドキー３０６のキートップ３２１がキャビネット３０３の外側に露出し、キートップ３２１が押圧した押し子３１５がキャビネット３０３内部に配置した押圧式スイッチ３１２を押圧するように構成されている。このため、アンテナ３１０を設けた部分には、サイドキー３０６を設けることができず、アンテナ３１０のない部分にサイドキー３０６を設けたり、サイドキー３０６を設けるスペースを確保するためにアンテナ３１０を短くしなければならなかった。アンテナ３１０を短くするには、伸縮式のアンテナ３１０を多数段にして長さを確保せざるを得ず、アンテナ３１０が太くなって携帯端末３０１の厚さが厚くなるという問題がある。
【０００５】
本発明は、かかる点に鑑みてなされたものであり、その目的とするところは、アンテナなどの棒状部材がある場合でも、操作キーを設けることができるようにすることにある。
【課題を解決するための手段】
【０００６】
上記の目的を達成するために、この発明では、棒状部材の外周に隙間を保って挿通される被挿通部を介して押圧ボタンを押圧するようにした。
【０００７】
具体的には、第１の発明では、棒状部材を有する携帯端末を前提とし、
上記携帯端末は、
上記棒状部材を収容する棒状部材収容部を有するキャビネットと、
上記キャビネット内の上記棒状部材収容部よりも内側に収容されたスイッチと、
上記棒状部材収容部の壁部に上記スイッチに対応して形成されたスイッチ用貫通孔と、
上記スイッチ用貫通孔に挿通され、上記スイッチをオン又はオフにする押し子と、
上記棒状部材との間に上記押し子の移動量よりも大きな隙間を有するように該棒状部材が挿通される貫通孔を有する被挿通部と、
上記被挿通部を介して上記押し子を操作するキートップとを備えている。
【０００８】
上記の構成によると、キートップを操作すると、被挿通部を介して押し子が駆動されて押圧式スイッチがオン又はオフ操作される。このとき、被挿通部の内面と棒状部材との間に、押し子の移動量よりも大きな隙間が空けられているので、棒状部材がキートップの操作を阻害しない。なお、キートップの押圧方向は特に限定されず、キートップの押圧方向と押し子の押圧方向とが一致していてもよいし、キートップのスライド方向と押し子の押圧方向とが直交していてもよい。
【発明の効果】
【０００９】
以上説明したように、本発明によれば、棒状部材との間に押し子の移動量よりも大きな隙間を有するように棒状部材が挿通される被挿通部を介して押し子を駆動するようにしたので、棒状部材がある場合でも、操作キーを設けることができる。
【図面の簡単な説明】
【００１０】
【図１】図２のＩ−Ｉ線拡大断面図である。
【図２】本発明の実施形態に係る携帯電話機を示す斜視図である。
【図３】携帯電話機を正面側から見た分解斜視図である。
【図４】図３のIV部を別の方向から見た分解斜視図である。
【図５】図２のＶ−Ｖ線拡大断面図である。
【図６】被挿通部の拡大図であり、（ａ）は斜視図で、（ｂ）は別方向から見た斜視図で、（ｃ）は平面図である。
【図７】実施形態１の変形例１に係る図１相当図である。
【図８】実施形態１の変形例２に係る図１相当図である。
【図９】実施形態１の変形例３に係る図１相当図である。
【図１０】実施形態１の変形例４に係る図１相当図である。
【図１１】実施形態２に係る図５相当図である。
【図１２】実施形態３に係る図５相当図であり、オフ状態を示す。
【図１３】実施形態３に係る図５相当図であり、オン状態を示す。
【図１４】従来技術に係る携帯端末を示す断面図である。
【発明を実施するための形態】
【００１１】
以下、本発明の実施形態を図面に基づいて説明する。
【００１２】
（実施形態１）
図２は本発明の実施形態１の携帯端末としての携帯電話機１を示し、図１は、そのＩ−Ｉ線拡大断面図である。この携帯電話機１は、例えば、ストレートタイプのスマートフォンであり、正面側にタッチパネルを含む表示部２が収容される正面側キャビネット３を有する。この正面側キャビネット３には、背面側キャビネット４が結合され、その背面がリアカバー５で覆われている。リアカバー５の右側面には、操作キーとしてのサイドキー６が設けられている。
【００１３】
図３は、携帯電話機１を正面側から見た分解斜視図であり、図４は、IVの拡大斜視図であり、図５は、図２のＶ−Ｖ線拡大断面図である。正面側キャビネット３は、棒状部材として、例えばＴＶアンテナである、伸縮式アンテナ１０を収容する棒状部材収容部１１を有する。この棒状部材収容部１１は、例えば正面側キャビネット３の右側面に形成され、リアカバー５で覆われているので、外観には表れない。正面側キャビネット３の背面側には、メイン基板７が収容されている。メイン基板７の上方には、このメイン基板７に接続される各部品を収容するホルダ８が設けられている。このホルダ８には、サイドキー６の一対の押圧式スイッチ１２が設けられている。これら押圧式スイッチ１２は、棒状部材収容部１１よりも左右内側に収容されている。
【００１４】
そして、図４に拡大して示すように、棒状部材収容部１１の内側壁部には、押圧式スイッチ１２に対応して形成された一対の円形のスイッチ用貫通孔１３が形成されている。一対のスイッチ用貫通孔１３は、例えばシリコンゴムよりなる板状の防水パッキン１４で覆われて防水されるようになっている。防水パッキン１４には、各押圧式スイッチ１２に対応させて棒状の押し子１５がインサート成形されている。押し子１５を覆う防水パッキン１４の円筒状の膨出部１４ａがスイッチ用貫通孔１３に挿入されている。なお、この押し子１５は、防水パッキン１４と別体でもよく、別体の押し子１５が膨出部１４ａに嵌め込まれていてもよい。
【００１５】
伸縮式アンテナ１０は、例えば外径の異なる複数のアンテナロッド１０ｂが伸縮自在に連結されたＴＶ用アンテナよりなり、棒状部材収容部１１に収納しているときには、その先端部１０ａのみが正面側キャビネット３及びリアカバー５から露出している。この伸縮式アンテナ１０の外周には、この外周面との間に押し子１５の押込量よりも大きな隙間Ｃを有するように被挿通部２０が挿入されている。
【００１６】
図６は、被挿通部２０の拡大図であり、（ａ）は斜視図で、（ｂ）は別方向から見た斜視図で、（ｃ）は平面図である。被挿通部２０は、細長い断面矩形状のもので、その長手方向に延び、伸縮式アンテナ１０が挿通される貫通孔２０ａを有する。本実施形態では、貫通孔２０ａは、断面円形としているが、断面楕円形や矩形でもよい。そして、その長手方向両端には、スイッチ用貫通孔１３に対応させて押し子１５が挿入される押し子収容部２０ｂが突設されている。押し子収容部２０ｂは、円形の凹部を有し、その凹部内に押し子１５の先端が収容されるようになっている。逆に押し子収容部２０ｂが突出し、押し子１５側が凹み、この凹みに押し子収容部２０ｂの突起が挿入されるようにしてもよい。
【００１７】
また、被挿通部２０の正面側には、棒状部材収容部１１の正面側壁部の上下中央から膨出する位置決め用凸部１１ａに嵌め込まれる位置決め用凹部２０ｃが形成されている。この位置決め用凹部２０ｃが位置決め用凸部１１ａに嵌合していることにより、伸縮式アンテナ１０を伸縮させた際にも被挿通部２０が上下にずれることはない。なお、本実施形態では、被挿通部２０は、樹脂成形品であり、成形時のスライドコア（図示せず）のストロークを小さくするために、長手方向中央が空洞２０ｄとなり、そのことで上記位置決め用凹部２０ｃが形成されている。一対の押し子収容部２０ｂ間には、突条２０ｅが突設され、一対の押圧式スイッチ１２が同時押しされないようになっている。なお、この突条２０ｅは、必須ではなく、特に同時押しを行うものでは設けられない。
【００１８】
被挿通部２０の外側には、この被挿通部２０を介して押し子１５を押圧するキートップ２１が配置されている。このキートップ２１は、例えばそれぞれ上向き又は下向きの矢印が形成された一連の押圧部２１ａを備えたシーソー式のファンクションキーよりなり、リアカバー５に形成したキートップ貫通孔５ａから露出している。
【００１９】
例えば、図１に示すように、貫通孔２０ａの内径は、伸縮式アンテナ１０の外径と、隙間Ｃの大きさの２倍との和となっているが、少なくとも押し子１５と反対側の隙間Ｃが押込量以上に確保されていればよい。
【００２０】
本実施形態では、上記のように構成したので、以下の作用効果が発揮される。すなわち、キートップ２１を押圧すると、被挿通部２０を介して押し子１５が押されて押圧式スイッチ１２が押される。このとき、被挿通部２０の内面と伸縮式アンテナ１０との間に、押し子１５の押圧量よりも大きな隙間Ｃが空けられているので、伸縮式アンテナ１０がキートップ２１の押込移動を阻害しない。
【００２１】
また、被挿通部２０に伸縮式アンテナ１０が挿通される貫通孔２０ａと、押し子１５が挿入される押し子収容部２０ｂとを設け、押し子１５を押し子収容部２０ｂに収容するようにしたので、安定して押圧式スイッチ１２を押圧することができる。
【００２２】
また、押圧式スイッチ１２を一対配置し、押し子収容部２０ｂをこれら押圧式スイッチ１２に対応して一対設けたので、方向キーのようにキートップ２１が結合される場合でも、１つの被挿通部２０で対応でき、部品点数が増えず、組立が容易である。
【００２３】
また、棒状部材収容部１１は、キートップ２１を露出させるキートップ貫通孔５ａを有するリアカバー５で覆われており、伸縮式アンテナ１０は、先端部１０ａのみが露出しているので、棒状部材収容部１１が露出せず、見映えがよい。
【００２４】
さらに、伸縮式アンテナ１０とキートップ２１とを同じ側面に設けることができるので、伸縮式アンテナ１０を太くしてアンテナロッド１０ｂの長さを確保する必要がなく、携帯電話機１の厚さが増えない。
【００２５】
したがって、本実施形態に係る携帯電話機１によると、伸縮式アンテナ１０がある場合でも、携帯電話機１を厚くすることなくサイドキー６を設けることができる。
【００２６】
なお、上記実施形態１では、サイドキー６は、一対の押圧式スイッチ１２を有するようにしたが、１つ又は３つ以上の押圧式スイッチ１２を有していてもよく、キートップ２１が２連のものでなくてもよい。また、キートップ２１が１つずつ上下に分かれ、被挿通部２０もそれぞれ上下に分かれていてもよい。さらには、被挿通部２０をキートップ２１と一体に成形してもよい。
【００２７】
−変形例１−
図７は本発明の実施形態１の変形例１を示し、サイドキー６'の構成が異なる点で上記実施形態１と異なる。なお、以下の各変形例及び実施形態では、図１〜図６と同じ部分については同じ符号を付してその詳細な説明は省略する。
【００２８】
本変形例では、キートップ２１'が被挿通部２０'と一体になっている。この場合、上記実施形態１に比べて組立手順に工夫が必要となるが、部品点数が減るというメリットがある。
【００２９】
−変形例２−
図８は本発明の実施形態１の変形例２を示し、サイドキー６''の被挿通部２０''と押し子１５''とが一体となっている。この場合、押し子１５''を防水パッキン１４と一体に成形することは困難なので、図面上では防水パッキン１４は省略されている。しかし、スイッチ用貫通孔１３を塞ぐように防水パッキン１４を設けることは可能である。
【００３０】
−変形例３−
図９は本発明の実施形態１の変形例３を示し、サイドキー６'''の被挿通部２０'''と押し子１５'''とキートップ２１'''とが全て一体となっている。この場合も、図面上では防水パッキン１４は省略されている。しかし、スイッチ用貫通孔１３を塞ぐように防水パッキン１４を設けることは可能である。本変形例では、部品点数が減る効果が大きいが、組立手順に工夫が必要である。
【００３１】
−変形例４−
図１０は本発明の実施形態１の変形例４を示し、サイドキー６''''の被挿通部２０''''の一方が押し子１５''''と一体となり、被挿通部２０''''の他方がキートップ２１''''と一体となっている。すなわち、貫通孔２０ａ''''が２分割され、その断面形状も真円よりも長円に近く、押し子１５''''の押込方向に隙間が保たれている。本変形例でも、スイッチ用貫通孔１３を塞ぐように防水パッキン１４を設けることは可能である。本変形例では、貫通孔２０ａ''''を２分割しているので、組立が容易となる。
【００３２】
（実施形態２）
図１１は本発明の実施形態２の携帯電話機１０１を示し、キートップ１２１の移動方向及び回転式スイッチ１１２の構成が異なる点で上記実施形態１と異なる。
【００３３】
すなわち、本実施形態では、スライドキー１０６は、左右方向に飛び出すように被挿通部１２０に一体に形成されたキートップ１２１を有する。また、レバー１１２ａの揺動操作によりオン又はオフされる回転式スイッチ１１２が設けられている。そして、キートップ１２１の上下方向へのスライド移動に伴って被挿通部１２０が伸縮式アンテナ１０に沿って上下に移動し、この被挿通部１２０と共に移動する、左右内側へ延びた押し子１１５が回転式スイッチ１１２のレバー１１２ａを揺動させるように構成されている。
【００３４】
この場合も、伸縮式アンテナ１０と貫通孔１２０ａとの間に隙間が形成されているので、伸縮式アンテナ１０があっても被挿通部１２０の上下スライド移動を阻害せず、回転式スイッチ１１２のレバー１１２ａの操作を可能となっている。
【００３５】
したがって、本実施形態においても、伸縮式アンテナ１０などの棒状部材がある場合でも、スライドキー１０６を設けることができる。
【００３６】
（実施形態３）
図１２及び図１３は、本発明の実施形態３の携帯電話機２０１を示し、キートップ２２１の移動方向及び被挿通部２２０の作用が異なる点で上記実施形態１と異なる。
【００３７】
本実施形態では、携帯電話機２０１は、上記実施形態と同様の押圧式スイッチ１２を有するが、その個数は１つのみである。
【００３８】
本実施形態のスライドキー２０６は、上記実施形態２と同様に左右方向に飛び出すように被挿通部２２０に一体に形成されたキートップ２２１を有する。
【００３９】
被挿通部２２０の左右内側には、なめらかな傾斜面を有する突部２２０ｂが突設されている。そして、図１３のように、キートップ２２１をスライドさせると、突部２２０ｂが押し子１５を押し下げ、押圧式スイッチ１２を押し下げるように構成されている。すなわち、キートップ２２１のスライド方向と、押し子１５の押圧方向とは、直交している。
【００４０】
このように構成することで、図１２に示すように、通常は、突部２２０ｂが押し子１５よりも上方にあり、押圧式スイッチ１２は、オフとなっている。
【００４１】
そして、図１３に示すように、キートップ２２１を下方へスライドさせると、突部２２０ｂが徐々に押し子１５を押し下げて押圧式スイッチ１２を押圧してオンとする。
【００４２】
このとき、被挿通部２２０の貫通孔２２０ａが伸縮式アンテナ１０外周との間に隙間Ｃを保ったまま上下にスライドするので、伸縮式アンテナ１０がキートップ２２１のスライド移動を阻害することはない。
【００４３】
したがって、本実施形態においても、伸縮式アンテナ１０などの棒状部材がある場合でも、スライドキー２０６を設けることができる。
【００４４】
（その他の実施形態）
本発明は、上記実施形態について、以下のような構成としてもよい。
【００４５】
すなわち、上記実施形態では、棒状部材は、ＴＶ用アンテナである伸縮式アンテナ１０としたがこれに限定されず、通信用アンテナ等他の用途のアンテナでもよく、さらには携帯電話機１に内蔵される棒状の部材であれば何でもよい。
【００４６】
上記実施形態では、棒状部材収容部１１を正面側キャビネット３のみに形成したが、正面側キャビネット３と背面側キャビネット４とで形成してもよい。
【００４７】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００４８】
なお、以上の実施形態は、本質的に好ましい例示であって、本発明、その適用物や用途の範囲を制限することを意図するものではない。また、各実施形態に記載された技術的特徴は、互いに組み合わせ可能であり、組み合わせることにより、新しい技術的特徴を形成することができる。
【符号の説明】
【００４９】
１      携帯電話機（携帯端末）
２      表示部
３      正面側キャビネット（キャビネット）
４      背面側キャビネット
５      リアカバー
５ａ    キートップ貫通孔
６      サイドキー（操作キー）
７      メイン基板
８      ホルダ
１０      伸縮式アンテナ（棒状部材）
１０ａ    先端部
１０ｂ    アンテナロッド
１１      棒状部材収容部
１１ａ    位置決め用凸部
１２      押圧式スイッチ
１３      スイッチ用貫通孔
１４      防水パッキン
１４ａ    膨出部
１５      押し子
２０      被挿通部
２０ａ    貫通孔
２０ｂ    押し子収容部
２０ｃ    位置決め用凹部
２０ｄ    空洞
２０ｅ    突条
２１      キートップ
２１ａ    押圧部
１０１      携帯電話機（携帯端末）
１０６      スライドキー（操作キー）
１１２      回転式スイッチ
１１２ａ    レバー
１１５      押し子
１２０      被挿通部
１２０ａ    貫通孔
１２１      キートップ
２０１      携帯電話機（携帯端末）
２０６      スライドキー（操作キー）
２２０      被挿通部
２２０ａ    貫通孔
２２０ｂ    突部
２２１      キートップ
【図１】
2014192540.tif 000003
【図２】
2014192540.tif 000004
【図３】
2014192540.tif 000005
【図４】
2014192540.tif 000006
【図５】
2014192540.tif 000007
【図６】
2014192540.tif 000008
【図７】
2014192540.tif 000009
【図８】
2014192540.tif 000010
【図９】
2014192540.tif 000011
【図１０】
2014192540.tif 000012
【図１１】
2014192540.tif 000013
【図１２】
2014192540.tif 000014
【図１３】
2014192540.tif 000015
【図１４】
2014192540.tif 000016